(57)【特許請求の範囲】
【請求項１】
筒状の回転筒（１５）を備えて、内部に挿入した廃棄物を回転筒（１５）の回転によって石やコンクリートといった重いものを下に、木片やプラスチック、さらには布といった軽いものを上に分離しながら排出する回転選別体（１１）と、
この回転選別体（１１）に接続して、回転選別体（１１）より排出した軽いものは上、重いものは下に分離された状態のままの廃棄物を内部に挿入すると共に、振動する振動篩（２５）を備えて、この振動篩（２５）上の廃棄物を振動によって小石や土砂等の細かなものを篩下に落下させつつ進行させ、さらに高い確率で軽いものを上に、重いものを下に分離しながら排出する振動選別体（１２）と、
この振動選別体（１２）に接続して、振動選別体（１２）より排出された高い確率で軽いものは上、重いものは下に分離された状態のままの廃棄物を内部に挿入すると共に、エアーを吹き出すエアー噴出部（３７）を備え、このエアー噴出部（３７）に近い場所と遠い場所それぞれに排出口を形成して、このエアー噴出部（３７）より吹き出したエアーによって廃棄物である石やコンクリートといった重いものは吹き飛ばされずにエアー噴出部（３７）に近い場所に、木片やプラスチック、さらには布といった軽いものは遠くの場所に吹き飛ばされてそれぞれの排出口より排出する風力選別体（１３）と、からなることを特徴とする廃棄物選別装置。
【請求項２】
前記振動選別体（１２）の廃棄物を内部に挿入する挿入口（２８）にエアーを吹き出すエアー噴出部（３３）を備えたことを特徴とする請求項１記載の廃棄物選別装置。
【請求項３】
前記回転選別体（１１）の回転筒（１５）の内周面に廃棄物をかき回す分離ブレード（２２）を固着したことを特徴とする請求項１、請求項２記載の廃棄物選別装置。
【請求項４】
前記風力選別体（１３）のエアー噴出部（３７）に近い場所と遠い場所それぞれに形成した排出口間に仕切り板（４０）を固着したことを特徴とする請求項１、請求項２、請求項３記載の廃棄物選別装置。
【発明の詳細な説明】
【０００１】
【発明の属する技術分野】
本発明は、種類の異なるものが混合した廃棄物、例えば建築廃棄物において、これらを分離選別する廃棄物選別装置に関する。
【０００２】
【従来の技術】
近年、産業の発展により材料の多種化が進み、これにより廃棄物において異質のものが混じり合うことが多くなってきており、特に建築物等を解体した際に生じる建築廃棄物においては、石や土砂やコンクリート、木材、プラスチックあるいは布といった異質のものが多種混合していた。一方、廃棄物の処理では処分場所の不足や不法投棄といった社会問題が生じていることから、廃棄物の再資源化が進み、廃棄物の処理においては分離選別が絶対に必要なものとなっていた。
このため、従来、異質のものが多種混合した建築廃棄物における分離選別では、重機や人手を用いて手作業に近い状態で選別が頻繁に行われていたが、この作業においては作業者に大変大きな負担を与えると共に作業効率が非常に悪いといった問題があった。
【０００３】
そこで、図１に示すように、側板１を有した板状の上下に振動自在となる篩２を備え、この篩２の上にコンベア３等により搬送されてきた廃棄物を乗せて当該篩２を振動し、石や土砂等を下部より排出すると共に、木材や紙あるいは布等を側部より排出することで廃棄物の分離選別を行う振動式篩装置４が知られていた。
【０００４】
また、図２に示すように、複数の小穴５を形成した回転する円筒状の篩６を備え、この篩６の内部にコンベア７等により搬送されてきた廃棄物を投入して当該篩６を回転し、石や土砂等を下部より排出すると共に、木材や紙あるいは布等を側部より排出することで廃棄物の分離選別を行う回転式篩装置８が知られていた。
【０００５】
【発明が解決しようとする課題】
前者の振動式篩装置にあっては、廃棄物に布等が含まれていると、この布等により他の廃棄物が包まれることがあり、これにより布等と他の廃棄物とを良好に分離選別することができないといったことがあり、廃棄物の選別の確率はあまり高くはなかった。後者の回転式篩装置にあっては、内部で廃棄物をある程度分離選別することができるものの、この選別の確率もあまり高くはなく、また、排出時に再度混ざるといった問題も生じるおそれがった。このように前者の振動式篩装置と後者の回転式篩装置共に廃棄物の分離選別を確実に行うことが難しいといった問題があった。
本発明は、これらの問題を解消することを、その課題としている。
【０００６】
【課題を解決するための手段及び作用効果】
第一の発明は、筒状の回転筒を備えて、内部に挿入した廃棄物を回転筒の回転によって石やコンクリートといった重いものを下に、木片やプラスチック、さらには布といった軽いものを上に分離しながら排出する回転選別体と、この回転選別体に接続して、回転選別体より排出した軽いものは上、重いものは下に分離された状態のままの廃棄物を内部に挿入すると共に、振動する振動篩を備えて、この振動篩上の廃棄物を振動によって小石や土砂等の細かなものを篩下に落下させつつ進行させ、さらに高い確率で軽いものを上に、重いものを下に分離しながら排出する振動選別体と、この振動選別体に接続して、振動選別体より排出された高い確率で軽いものは上、重いものは下に分離された状態のままの廃棄物を内部に挿入すると共に、エアーを吹き出すエアー噴出部を備え、このエアー噴出部に近い場所と遠い場所それぞれに排出口を形成して、このエアー噴出部より吹き出したエアーによって廃棄物である石やコンクリートといった重いものは吹き飛ばされずにエアー噴出部に近い場所に、木片やプラスチック、さらには布といった軽いものは遠くの場所に吹き飛ばされてそれぞれの排出口より排出する風力選別体と、からなる廃棄物選別装置である。
【０００７】
第一の発明によれば、回転選別体において廃棄物をある程度まで分離することができ、次に振動選別体においてある程度分離された廃棄物を振動によって小石や土砂等の細かなものを篩下に落下させつつ進行させ、さらに高い確率で分離することができると共に、風力選別体において高い確率で分離された状態のままの廃棄物を確実にそれぞれの排出口より排出することができ、これにより、廃棄物の容易かつ速やかに、そして確実に分離することができ、作業者への負担を低減すると共に、作業効率の向上を図ることができる。
【０００８】
第二の発明は、第一の発明において、振動選別体の廃棄物を内部に挿入する挿入口にエアーを吹き出すエアー噴出部を備えた廃棄物選別装置である。
【０００９】
第二の発明によれば、回転選別体においてある程度分離された廃棄物を、エアー噴出部より吹き出すにエアーよってある程度分離された状態のままで振動選別体の内部に挿入することができ、振動選別体における廃棄物をさらに高い確率で分離することができる。
【００１０】
第三の発明は、第一、第二の発明において、回転選別体の回転筒の内周面に廃棄物をかき回す分離ブレードを固着した廃棄物選別装置である。
【００１１】
第三の発明によれば、回転選別体の回転筒の内周面に分離ブレードを固着したことで、回転選別体において内部の廃棄物すべてを分離ブレードによりかき回すことができ、回転選別体内における廃棄物を良好にしかも確実に分離することができる。
【００１２】
第四の発明は、第一、第二、第三の発明において、風力選別体のエアー噴出部に近い場所と遠い場所それぞれに形成した排出口間に仕切り板を固着した廃棄物選別装置である。
【００１３】
第四の発明によれば、風力選別体においてエアー噴出部に近い場所と遠い場所それぞれに形成した排出口間に仕切り板を固着したことで、分離された廃棄物が異なる排出口に排出されるのを仕切り板により防止することができ、風力選別体において分離された廃棄物をさらに確実にそれぞれの排出口より排出することができる。
【００１４】
この発明の実施の形態について、図３を用いて説明する。
廃棄物選別装置としては、回転によって廃棄物を分離する回転選別体１１と、この回転選別体１１に接続して振動によって廃棄物を小石や土砂等の細かなものを篩下に落下させつつ進行させ、さらに高い確率で分離する振動選別体１２と、この振動選別体１２に接続して風力によって廃棄物を分離する風力選別体１３とからなる。
【００１５】
前記回転選別体１１は、基台１４を備えて、この基台１４の上部に横向きにした円筒状の回転筒１５を回転自在に載置し、この回転筒１５の外周にリングギヤ１６を備えると共に、このリングギヤ１６に合わさるギヤ１７を備えて、このギア１７をモータ１８等の動力源で駆動することでギア１７及びリングギヤ１６を介して回転筒１５を回転するようにし、回転筒１５の一方側を挿入口１９とすると共に他方側を排出口２０としている。また、この回転筒２０は基台１４に対して挿入口１９から排出口２０に向かって傾斜をつけており、これにより、内部に挿入した廃棄物を排出口２０に向かって移動させるようにする。一方、回転筒２０の内周面には取り付けステー２１を介して板状の分離ブレード２２を所定の配置で内周全周にわたって複数固着しており、これにより、内部に挿入した廃棄物をかき回すようにする。また、この分離ブレード２２は回転筒１５の回転軸方向に対して斜めにして、内部に挿入した廃棄物を排出口に向かって移動させるようにする。
【００１６】
次に前記振動選別体１２は、箱状のケース２３を備えて、このケース２３の内部に側部にガイド板２４を有した網目板状の振動篩２５を備え、この振動篩２５の下部に振動カム２６を備え、この振動カム２６をモータ２７等の動力源で駆動することで振動篩２５を上下に振動するようにする。そして、ケース２３における前記回転選別体１１側である一方側に挿入口２８を形成すると共に他方側に排出口２９を形成する。ケース２３における振動篩２５の下方側にはホッパー３０を備えて下部排出口３１を形成すると共に、その下部に搬出用コンベア３２を配置して、ここより排出された廃棄物を別の場所へ移動するようにしている。また、この振動篩２５は挿入口２８から排出口２９に向かって傾斜をつけており、これにより、内部に挿入して振動篩２５上に乗っている廃棄物を排出口２９に向かって移動させるようにする。一方、ケース２３の挿入口２８における下部には斜め上方に向かってエアーを吹き出すエアー噴出部３３を備えて挿入口２８より挿入した廃棄物にエアーを吹き掛けるようにすると共に、ケース２３内の上部にはエアー噴出部３３より吹き出したエアーにより廃棄物がケース２３内全体に飛び散らないようにするための上部カバー３４を備えている。
【００１７】
次に前記風力選別体１３は、大きな箱状のケース３５を備え、このケース３５における前記振動選別体１２側である一方側に挿入口３６を形成する。そして、このケース３５における挿入口３６の近傍下部に斜め上方に向かってエアーを吹き出すエアー噴出部３７を備えて、挿入口３６より挿入した廃棄物に向かってエアーを吹き掛けるようにすると共に、ケース３５における下部のエアー噴出部３７に近い側に第一排出口３８を形成し、さらにこのケース３５における下部のエアー噴出部３７より遠い側に第二排出口３９を形成する。この第一排出口３８と第二排出口３９は共に上部より下部に向かって小さくなるホッパー状になっており、ケース３５の下部全体を略二分するような形で備えられている。また、ケース３５の下部に形成した第一排出口３８と第二排出口３９との間には仕切り板４０を挿入口３６側に斜めに向かうようにして固着しており、この仕切り板４０は内部に挿入する廃棄物の種類に応じて斜めの角度を容易に変更することができるようになっている。なお、ケース３５の上部における前記エアー噴出部３７に相対する場所には排気口４１を形成し、これにより、エアー噴出部３７より吹き出すエアーを良好に流すようにしている。また、第一排出３８口の下部には搬出用コンベア４２を配置して、ここより排出された廃棄物を別の場所へ移動するようにしている。
【００１８】
このようになる廃棄物選別装置において、その分離選別処理作業について説明すると、コンベア等により搬送されてきた廃棄物を、まず、回転選別体における回転筒の挿入口より内部に挿入し、回転筒の内部において回転運動している分離ブレードによってかき回して、これにより石やコンクリートといった重いものを下に、木片やプラスチック、さらには布といった軽いものを上へとそれぞれある程度分離して回転筒の排出口より排出する。
【００１９】
そして、前記回転選別体１１における回転筒１５の排出口２０より排出した廃棄物を、振動選別体１２におけるケース２３の挿入口２８より内部に挿入し、この挿入時、エアー噴出部３３より吹き出すエアーによって前記回転選別体１１において分離された状態の軽いものは上、重いものは下のままで、振動選別体１２の内部に良好に挿入されていく。そして、内部の振動篩２５の上に乗った廃棄物は振動篩２５によって上下の振動を受け、これにより、まず、小石や土砂等の細かなものを振動篩２５より下部である篩下に落として、ホッパー３０を介して下部排出口３１より搬出用コンベア３２上に排出するようにする。一方、振動篩２５の上の廃棄物は、そのまま進行し、前記回転選別体１１によって軽いものを上、重いものを下と分離していたものを、振動によりさらに高い確率で軽いものを上、重いものを下と分離してケース２３の排出口２９より排出する。
【００２０】
そして、前記振動選別体１２におけるケース２３の排出口２９より排出された高い確率で軽いものは上、重いものは下に分離された状態のままの廃棄物を、風力選別体１３におけるケース３５の挿入口３６より内部に挿入し、この挿入時、挿入口３６の近傍下部に備えたエアー噴出部３７より吹き出すエアーによって、石やコンクリートといった重いものは吹き飛ばされずに、エアー噴出部３７に近い第一排出口３８より下方の搬出用コンベア４２上に排出すると共に、木片やプラスチック、さらには布といった軽いもののみをエアーによって遠くに吹き飛ばして、エアー噴出部３７より遠い第二排出口３９より下方に排出する。この時、仕切り板４０によって分離された廃棄物が異なる排出口に排出されるのを防止している。
【００２１】
前述のようになることで、石やコンクリートといった重いものから木片やプラスチック、さらには布といった軽いもの、また小石や土砂等の細かなものといった異質のものが多種混合した廃棄物を、容易かつ速やかに、そして確実に分離することができるようになる。
【００２２】
前述した廃棄物選別装置における実施の形態においては、前記回転選別体１１の回転筒１５を円筒状として説明したが、これに限定されるものではなく、四角筒状や多角筒状でも良い。また、前記振動選別体１２の振動篩２５を網目板状としていたが、これに限定されるものではなく、小円の穴を複数形成したものや長円の穴を複数形成したでも良い。
【図面の簡単な説明】
【図１】従来の振動式篩装置の斜視図。
【図２】従来の回転式篩装置の斜視図。
【図３】廃棄物選別装置の側面断面図。
【符号の説明】
１…側板
２…篩
３…コンベア
４…振動式篩装置
５…小穴
６…篩
７…コンベア
８…回転式篩装置
１１…回転選別体
１２…振動選別体
１３…風力選別体
１４…基台
１５…回転筒
１６…リングギヤ
１７…ギヤ
１８…モータ
１９…挿入口
２０…排出口
２１…取り付けステー
２２…分離ブレード
２３…ケース
２４…ガイド板
２５…振動篩
２６…振動カム
２７…モータ
２８…挿入口
２９…排出口
３０…ホッパー
３１…下部排出口
３２…搬出用コンベア
３３…エアー噴出部
３４…上部カバー
３５…ケース
３６…挿入口
３７…エアー噴出部
３８…第一排出口
３９…第二排出口
４０…仕切り板
４１…排気口
４２…搬出用コンベア。
【図１】
0003682755.tif 000002
【図２】
0003682755.tif 000003
【図３】
0003682755.tif 000004